(57)【要約】【課題】ユニットを軽量化して給水、保水、植物の根張りの効果を高める。【解決手段】凹状のセル１内に土壌層８を設け、前記セル底板３から土壌層８上面に至る突起４を設けるとともに、そのセル１を敷き詰めて植栽用土壌面を形成する植栽ユニット１０において、前記底板３と土壌層８との間に保水層９を設けたのである。このようにすれば、突起４が踏圧に耐え得るので、保水層９、土壌層８が圧密されにくい。また、その保水層９の作用により、土壌層８には適度の水分が安定して供給できるとともに、保水層９への水の供給量が保水性能の上限を超えた場合には、余剰の水分は速やかに排水することができるので、植物が、水枯れ、根腐れ等する心配がない。さらに、保水層９が有する空隙の効果により通気性が高まり、新鮮な空気が根に行き渡るようになるので、植物の根張りがよく生育が促進されるとともに、人工地盤Ｇと土壌層８間の断熱性能が高まる。【選択図】図１
2005198529.tif 000002
【特許請求の範囲】
【請求項１】
底板３とその周縁の側壁部１２とからなる凹状セル１内に土壌層８を設け、そのセル１を複数連続して敷き詰めることにより植栽用土壌面を形成する植栽ユニット１０において、前記セル底板３と前記土壌層８との間に保水層９を設けたことを特徴とする植栽ユニット。
【請求項２】
前記底板３から土壌層８上部に至る突起４を設けたことを特徴とする請求項１に記載の植栽ユニット。
【請求項３】
上記保水層９は、グラスウール、ロックウール、ポリプロピレン断熱材、又はポリエチレン断熱材のいずれかからなることを特徴とする請求項１又は２に記載の植栽ユニット。
【請求項４】
底板３とその周縁の側壁部１２とからなる凹状セル１内に土壌層８を設け、そのセル１を複数連続して敷き詰めることにより植栽用土壌面を形成する植栽ユニット１０において、
前記側壁部１２に潅水ホースＰ周面に沿う把持部２２を有する支持台２０を設け、その支持台２０に取り付けた潅水ホースＰ周面の孔部２３が土壌層８に接することを特徴とする植栽ユニット。
【請求項５】
前記支持台２０は、側壁部１２上端に設けられて、前記潅水ホースＰの孔部２３は、そのセル１及び隣りのセル１の両土壌層８，８に接するようにしたことを特徴とする請求項４に記載の植栽ユニット。
【請求項６】
前記把持部２２は、隣り合うセル１，１の両側壁部１２，１２全長に亘って対向して設けられ、その側壁部１２には連結部材１４を設けて、前記連結部材１４により両把持部２２，２２の縁がそれぞれ密着して固定されて前記側壁部１２に沿う筒状空間を形成し、前記把持部２２には孔部２３を設けて両把持部２２，２２及びその囲まれた筒状空間で潅水ホースＰを成すことを特徴とする請求項５に植栽ユニット。
【請求項７】
請求項１乃至請求項３のいずれかに記載の植栽ユニット１０において、請求項４乃至請求項６のいずれかの潅水ホース支持台２０を装備したことを特徴とする植栽ユニット。
【発明の詳細な説明】
【技術分野】
【０００１】
この発明は、ビルの屋上部、バルコニー、ベランダ、テラス等の人工地盤、あるいは公園、校庭等の地盤上を緑化するために設置する植栽ユニットに関するものである。
【背景技術】
【０００２】
近年、都市部における緑化対策の一環として、ビル屋上部、バルコニー、ベランダ、テラス、あるいは舗装面等の人工地盤を緑化する手法が多用されている。具体的手法としては、そのビルの屋上等に防水層や防根層を敷き詰め、その上に土壌層等を設けて芝生等の地被植物や草木、野菜などを植栽しているのが一般的である。
【０００３】
この防水層や防根層の設備は、人工地盤を構成する床版、柱等への水の浸入を防ぐためには欠くことのできない設備であるが、その防水層等に用いられるゴム等の素材の寿命が、概ね１０年から１５年程度と言われていることから、敷設後、一定年限が過ぎた場合には、補修や交換が必要となる。
【０００４】
しかし、防水層等を交換する際の土壌層等の撤去には、膨大な労力と時間とを要するので、問題となることが多い。また、建物に植栽を新設することにより、その建物設計上の荷重を上回る重量増を発生させることがあり、このような場合には緑化を断念せざるを得ない場合もある。このため、人工地盤上において容易に設置、撤去ができ、また、重量の小さい各種の植栽ユニットの技術が開示されている。
【０００５】
例えば、上部が開口するように形成された凹状のセル内に土壌層を設け、そのセル底面には、側壁上端部の高さを超えない高さの突起（柱状部材）を立設し、その突起でもって踏圧を支持して土壌に大きな荷重が加わらないようにするとともに、突起の頂部及び、セル底面に穴を設けて土壌の通気性をよくした植栽ユニットがある。土壌層をセル状のユニットにより形成できるので、このユニットを人工地盤上に植栽を敷き詰めて必要数連結すれば、土壌層の形成が容易である（特許文献１、特許文献２、特許文献３参照）。
【０００６】
また、そのセル内の土壌層に培養土を用いる技術や、人工地盤上のセル敷設面に、化学繊維や天然繊維からなるシート状の保水層、防根層を設ける技術、あるいは、隣接するセル間の空間に潅水ホースを配設する技術等が開示されている（特許文献４参照）。
【特許文献１】特開平１１−２８９８７６号公報
【特許文献２】特開２００２−４４８２号公報
【特許文献３】特開２００３−３３３９３５号公報
【特許文献４】特開２００２−２９１３４２号公報
【発明の開示】
【発明が解決しようとする課題】
【０００７】
しかし、上記の植栽ユニットでは、土壌の保水力、植物の根張りを良くするために充分な土壌厚を確保すると、土壌全体の重量が大きくなってしまう問題がある。逆に、重量を小さくするために土壌厚を薄くすると、保水力が不足して土壌が乾燥しやすくなるので、植えられた植物が枯れてしまうこともある。
【０００８】
また、重量の大きい一般的な自然土壌に代えて、特許文献４に記載のように、人工軽量土壌や、あるいは、その他の繊維類（ポリエステルなどの合成繊維やココヤシなどの天然繊維）を利用した軽量化土壌も存在するが、これらの土壌は、植物の生育に必要な栄養分が不足しがちであるとともに、根をしっかりと保持するための土壌の含有量が少ないため、植物は、長期的には自然界に近い良好な生育が望めないのが現状である。
【０００９】
また、特許文献４に記載の植栽ユニットは、土壌に給水するための潅水ホースが、隣接するセル同士の接続部分において、そのセル側壁外側の人工地盤上等に載置され、土壌層から隔てられているため、土壌全体に水が均等に行き渡らない問題がある。
【００１０】
さらに、そのセル下方に敷く保水層はシート状物であるので、保水の効果が小さく、その効果を高めるためにシート状物を厚くすると弾力性が増加して、その上に載置されるユニットが動きやすくなるので、安定的に載置されない問題がある。
【００１１】
そこで、この発明は、自然土壌を利用しつつ植栽設備ユニットを軽量化するとともに、そのユニットを安定的に載置できるようにして、ユニット内への給水、保水、植物の根張りの効果を高めることを課題とする。
【課題を解決するための手段】
【００１２】
上記の課題を解決するために、この発明は、そのセル内の土壌層の下方に、保水層を敷き詰めたのである。このようにすれば、保水層がセル内に位置して、そのセル下面と人工地盤上面との間には弾力性のある素材が介在しないので、ユニットは両面の間で面的に接触してバウンドせず、安定的に人工地盤上に載置できる。また、その保水層の作用により、土壌層には適度の水分が安定して供給できるとともに、保水層への水の供給量が保水性能の上限を超えた場合には、余剰の水分は速やかに排水することができる。このため、土壌層に植えられた植物が、水枯れ、根腐れ等する心配がない。
また、前記保水層を備えた凹状セルからなる植栽ユニットにおいて、耐踏圧用の突起を設ければ、土壌層への踏圧に対しては突起が対抗するので、保水層は圧密されない。
【００１３】
具体的な構成としては、凹状のセル内に土壌層を設け、前記セル底板から土壌層上面に至る突起を設けるとともに、そのセルを複数連続して敷き詰めることにより植栽用土壌面を形成する植栽ユニットにおいて、前記セル底板と土壌層との間に保水層を設けたのである。このようにすれば、突起が踏圧に耐え得るので、人や自転車等が植栽上に載っても、保水層、土壌層は踏み固められて圧密されない。このため、保水層を厚くしてその効果を高めることができる。
【００１４】
また、上記保水層を、グラスウール、ロックウール、ポリプロピレン断熱材、又はポリエチレン断熱材のいずれかからなるものとすれば、その保水層が有する空隙の効果により通気性が高まり、新鮮な空気が根に行き渡るようになるので、植物の根張りがよく生育が促進されるとともに、人工地盤と土壌層間の断熱性能が高まるので、土壌の温度低下が少なくなり、植物の生育状況がさらに良好になるとともに、人工地盤自体の温度変化も和らげられるのでコンクリート等の経年劣化を抑えることができる。また、植物の根はグラスウール等を貫通して生育するので、土壌厚を薄くしても根が長く成長し良好な生育状態を保つことができる。このため、土壌厚を薄くしてユニットの軽量化を図ることができる。
【００１５】
一方、この発明は、底板とその周縁の側壁部とからなる凹状セル内に土壌層を設け、そのセルを複数連続して敷き詰めることにより植栽用土壌面を形成する植栽ユニットにおいて、前記側壁部に潅水ホース周面に沿う把持部を有する支持台を設け、その支持台に取り付けた潅水ホース周面の孔部が土壌層に接するようにしたのである。このようにすれば、土壌層への給水が円滑に行われるので、セル内の土壌全体に対する不均一な給水が解消される。
【００１６】
その支持台は、側壁部上端に設けられて、前記潅水ホースの孔部は、そのセル及び隣りのセルの両土壌層に接するようにすれば、潅水ホースが両側セルの土壌層に接するので、水が土壌全体に行き渡りやすいようになるとともに、１本の潅水ホースで両側のセルに給水できるので、そのホースの配設延長を少なくできる。
【００１７】
また、前記把持部は、隣り合うセルの両側壁部全長に亘って対向して設けられ、その側壁部には連結部材を設けて、前記連結部材により両把持部の縁がそれぞれ密着して固定されて前記側壁部に沿う筒状空間を形成する。前記把持部には孔部を設けて両把持部及びその囲まれた筒状空間で潅水ホースを成すようにした構成も採用し得る。このようにすれば、セルと潅水ホースが一体に形成できるので、セルを敷き並べた後の潅水ホース配設作業の手間を解消し得る。
【発明の効果】
【００１８】
この発明は、このようにしたので、自然土壌を利用しつつ植栽設備ユニットを軽量化できるとともに、そのユニット内への給水、保水、植物の根張りの効果を高めることができる。
【発明を実施するための最良の形態】
【００１９】
一実施形態を図１乃至図４に示し、この実施形態は、図２に示すように、人工地盤Ｇ上に多数敷き詰めることにより土壌面を形成する正方形セル１からなる植栽ユニット１０である。
【００２０】
セル１は、正方形のセル底板３とその底板３の周囲を囲む側壁部１２を有し、図３（ｃ）に示すように、底板３上全体に亘って円柱状の突起４を設け、その突起４が、図３（ａ）に示すように、底板３の両対角線と、その両対角線に平行に設けた等間隔の線との格子点毎に位置するようにする。突起４の高さは、すべて統一されている。その隣接する突起４，４間には、開口５が設けられており、底板３の裏面には、図３（ｂ）に示すように、隣接する開口５間を結ぶリブ６が十字状に形成されて底板３の剛性を高めるとともに、人工地盤Ｇ上に載置した際に、底板３と地盤Ｇとの間に隙間ができるようになっている。また、底板３表面にも、図３（ａ）に示すように、適宜リブ７が設けられて、底板３の剛性を高めている。
【００２１】
側壁部１２は、図３（ｄ）に示すように、前記底板３よりもやや大きい外形を有する平面視正方形枠状のものであり、その側壁部１２下端部に、側壁部１２内外を貫通する水抜き穴１５を形成するとともに、側壁部１２下面には、底板３と同じくリブ６が一定間隔で設けられている。また、その側壁部１２の各辺方向中程には、その側壁部１２から外側に向かって突出する大小連結部材１４ａ，１４ｂが設けられ、さらに、側壁部１２上端には、図３（ｄ）に示すように、その全周に亘って潅水ホース支持台２０が設けられている。
【００２２】
ホース支持台２０は、図１に示すように、側壁部１２の上下方向中程から水平方向外側に向かって突出する受部２１と、その受部２１先端付近から上方に向かって半円を描く、円弧状の把持部２２とからなり、把持部２２は、隣り合うセル１のホース支持台２０の把持部２２と対向するように配置されて、対の把持部２２，２２が向かい合うことによりその内周面が円筒形を成して、その筒状の空間に挿入された潅水ホースＰの外周全周を保持することができるようになっている。
【００２３】
このセル１を、人工地盤Ｇ上に縦横複数連続して敷き詰める際には、まず、地盤上に防根シート１７を敷くとともに、そのシート１７上にセル１を並べて連結していく。この連結は、図４に示すように、前記連結部材１４ａ，１４ｂ間に形成された凹部１４ｃに、隣接するセル１の連結部材１４ａが嵌ることにより両セル１，１が固定されるようになっている。また、対向する連結部材１４ａ，１４ａの当接面には、図４に示す突状のストッパ１４ｄが設けられているので、上記連結部材１４同士が噛み合った状態で、セル１，１同士が遠ざかる方向に外力が加わっても抜けないようになっている。
【００２４】
このとき、側壁部１２に設けた前記潅水ホース支持台２０は、図１に示すように、その支持台２０の受部２１の先端２１ａ、及び弧状を成す把持部２２の上端２２ａが、それぞれ、隣り合うセル１の受部２１の先端２１ａ、及び把持部２２の上端２２ａと密着するようになっている。このため、セル１，１間の接続部分には、隙間が生じないようになっている。
【００２５】
セル１内に土壌を入れる際には、セル１を人工地盤Ｇ上に敷き詰めた上記の状態において、まず、支持台２０に潅水ホースＰを嵌め込んで取り付ける。支持台２０の把持部２２は、図３（ｄ）に示すように、側壁部１２の周縁に沿って断続的に設けられているので、そのホースＰに適宜穴を設けることにより、ホース内の水がセル１内に向かって散水できるようになっている。
【００２６】
各セル１の底板３に不織布１８を敷き、その上にグラスウールを詰めて保水層９を形成する。保水層９は、後述の土壌搬入後やや圧密されて、最終的には、前記ホース支持台２０の受部２１高さと同程度の高さになるよう形成するのが望ましい。
【００２７】
次に、その保水層９の上に自然土壌を詰めて土壌層８を形成する。このとき、前記突起４は、土壌層８上面と同じ高さとするか、あるいは図１に示すように、上面よりもやや下方に位置しているようにする。このように、突起４上端が土壌層８の上部に至るようにすることにより、植栽ユニット１０を踏む人などの踏圧が、前記土壌層８及び保水層９に作用しにくくなるので、土壌層８の圧密を防ぎその上面高さの維持と、土壌の固化を防いでいる。
【００２８】
この土壌層８の形成により、前記潅水ホースＰは、そのホースＰ周面に設けた孔部２３（図２参照）が直接土壌に接して、効率的に給水することができるとともに、ホースＰは、隣り合うセル１，１の両土壌層８，８に接することができるので、１本の潅水ホースＰで散水できるセル数が増加し、植栽ユニット１０内に配設する潅水ホースＰの総延長、本数等を少なくすることができる。このとき、そのホースＰ下方に位置する側壁部１２の受部２１同士は密着しているので隙間がなく、水や土壌がその側壁部１２，１２間から流出しにくいので、人工地盤Ｇを構成する防根シート１７、コンクリート等の構造物を傷めない。
【００２９】
また、セル１の底板３上には不織布１８を設けているので、底板３の開口５から余剰水が排水される際に、微細な土壌であってもその流出を防ぐことができ、また、セル１と人工地盤Ｇとの間には、防根シート１７を設けているので、根が成長してセル１から出ることを防いでいる。
【００３０】
なお、あらかじめ保水層９及び土壌層８を形成したセル１からなる植栽ユニット１０を人工地盤Ｇ上に順次敷き並べていき、併せて、適宜潅水ホースＰを配設するようにしてもよい。このとき、土壌層８に植えられる植物１９は、例えば、芝などであれば、ユニット１０にあらかじめ植えられたものを用意してもよいが、ユニット１０敷設後に種を播いて植物を繁茂させるか、あるいはロール状の芝シートを載せても良い。
【００３１】
この実施形態では、保水層９の素材にグラスウールを使用したが、この実施形態には限定されず、ロックウールやポリプロピレン断熱材、ポリエチレン断熱材などを使用してもよい。また、多少断熱機能が劣るものの、スポンジ状の樹脂や、その他の綿状の素材など内部に空隙を有して保水機能のある素材も使用できる。このように、保水層９を構成する素材には、廃材等の流用が可能であるので、今日の廃棄物利用の要請に合致するものである。
【００３２】
また、潅水ホース支持台２０の把持部２２は、ホースＰがしっかりと把持でき、また、隣接する側壁部１２，１２同士の隙間から土壌が流出しないようにし得る限りにおいて、その上端２２ａ，２２ａ、あるいは下端２１ａ，２１ａ同士が接していない構成としてもよい。
【００３３】
また、潅水ホース支持台２０の把持部２２の形状は、この実施形態には限定されず、潅水ホースＰを固定でき得る限りにおいてその形態は自由である。また、一方のセル１にのみ、この把持部２２を設けてもよい。さらに、その把持部２２をセル１の側壁部１２に沿ってその全長に亘って連続的に設けることにより、側壁部１２上端に筒状空間を形成し、適宜孔部２３を把持部２２に形成して、この筒状空間に流水を通過させることにより、セル１と一体の潅水ホースＰを形成してもよい。また、この実施形態では、土壌層８に自然土壌を使用したが、もちろん自然土壌以外からなる土壌層８としてもよく、さらに、人工地盤Ｇ上のみならず、校庭や公園などの土地盤上、舗装地盤上においても使用できる。
なお、ユニット１０の設置箇所が、人等が頻繁に通行する場所ではないなど、その通行者の踏圧に耐え得る必要性の少ない場合には、前記突起４を省略したセル１からなるユニット１０も使用できる。
【図面の簡単な説明】
【００３４】
【図１】一実施形態の断面図
【図２】同実施形態の斜視図
【図３】同実施形態の詳細図で、（ａ）は平面図、（ｂ）は底面図、（ｃ）は底板の側面図、（ｄ）は側壁部の側面図
【図４】植栽ユニットの連結状態を示す説明図
【符号の説明】
【００３５】
１  セル
３  底板
４  突起
５  開口
６，７  リブ
８  土壌層
９  保水層
１０  植栽ユニット
１２  側壁部
１４，１４ａ，１４ｂ  連結部材
１５  水抜き穴
２０  潅水ホース支持台
２１  受部
２２  把持部
Ｇ  人工地盤
Ｐ  潅水ホース
【図１】
2005198529.tif 000003
【図２】
2005198529.tif 000004
【図３】
2005198529.tif 000005
【図４】
2005198529.tif 000006